(57)【特許請求の範囲】
【請求項１】
少なくとも移動可能な前群レンズおよび後群レンズを備えたズームレンズ；
後群レンズを前群レンズに対して接離移動させ後群移動手段；
前群レンズ、後群レンズおよび後群移動手段を一体に前後移動可能に保持した鏡筒；
前記鏡筒を駆動して前記前群レンズ、後群レンズおよび後群移動手段を一体に前後移動させてズーミングする全体移動手段；
ズームファインダ；
全体移動手段に連動してズームファインダを変倍させるファインダ連動手段；および、
前記全体移動手段を駆動してズーミング制御し、前記全体移動手段および後群移動手段を駆動して焦点調節する制御手段；を備え、
前記全体移動手段が前記鏡筒を駆動してズーミングするときのズーム系バックラッシュは、前記全体移動手段が前記ファインダ連動手段を介して前記ズームファインダを変倍させるときのファインダ系バックラッシュよりも小さく設定され、
前記制御手段は、前記焦点調整するときは、前記後群移動手段を駆動するとともに、前記全体移動手段を、停止直前の駆動方向とは逆方向に、前記ズーム系バックラッシュより多く、かつ前記ファインダ系バックラッシュ以下だけ駆動して、前記ズームファインダが変倍動作しない範囲で前記前群レンズ、後群レンズおよび後群移動手段を一体に前後移動させること、を特徴とするズームファインダを備えたズームレンズカメラ。
【請求項２】
ズーム操作手段を備え、該ズーム操作手段の操作を受けて前記制御手段は前記全体移動手段を駆動し、前記焦点調整の際に前記全体移動手段を駆動する方向に駆動したときは、前記焦点調整の際に前記全体移動手段を駆動する方向とは逆方向に前記ファインダ系バックラッシュ以上駆動させてから停止させる請求項１記載のズームファインダを備えたズームレンズカメラ。
【請求項３】
前記前群レンズ、後群レンズおよび後群移動手段を支持して一体として移動させる移動鏡筒と、前記後群レンズを支持して、前記前群レンズに対して前記後群移動手段により相対駆動される支持鏡筒と、
前記移動鏡筒の位置により焦点距離を検知する検知手段とを備え、
前記全体移動手段はさらに、全体移動モータと、該全体移動モータの回転を伝達するギヤ機構と、該ギヤ機構を介して、前記移動鏡筒を繰出す鏡筒繰出し機構とを備え、
前記ファインダ連動手段は、前記ギヤ機構によって駆動される請求項１または２記載のズームファインダを備えたズームレンズカメラ。
【請求項４】
前記全体移動手段によって前記前群レンズ、後群レンズおよび後群移動手段を移動させるときのズーム系バックラッシュは、前記全体移動モータが前記ギヤ機構を駆動する際のギヤ列バックラッシュと、前記ギヤ機構が前記鏡筒繰出し機構を駆動する際の鏡筒バックラッシュと、前記移動鏡筒の位置により焦点距離を検知する検知手段の検知バックラッシュの合計であり、前記ズームファインダを変倍させるときのファインダ系バックラッシュは、前記ギヤ列バックラッシュと、前記ファインダ連動手段のファインダバックラッシュの合計である請求項３記載のズームファインダを備えたズームレンズカメラ。
【発明の詳細な説明】
【０００１】
【発明の技術分野】
本発明は、少なくとも前群レンズ及び後群レンズを個別に移動するズームレンズおよびズームファインダを備えたカメラに関する。
【０００２】
【従来技術およびその問題点】
ズームコンパクトカメラは、ズーム撮影光学系の像とは別のズームファインダ光学系の像を観察するカメラであるから、焦点距離を変更させるズーム操作手段が操作されたとき、常に特定被写体距離の被写体（通常は無限遠の被写体）に対して合焦状態を維持してズーミングすることが必要な訳ではない。したがって、ズーミングに際してはレンズ群全体を移動し、フォーカシングの際にフォーカシングレンズ群を移動して合焦させることで、レンズ構成及びレンズ駆動機構の自由度が増加する。
コンパクトカメラのズームレンズは、コンパクト化のために、２段、あるいは３段以上の多段繰り出し鏡筒構造になっている。このようなズームレンズは、鏡筒を繰り出す機構、例えばモータ、ギヤ列、ヘリコイドなどにバックラッシュが存在するので、ズーミングによって移動した位置からレンズ群全体が移動していて、フォーカシングレンズ群を移動しても合焦していない場合がある。そこで、フォーカシングの際に、フォーカスレンズ群だけでなく、レンズ群全体を移動して、レンズ群全体を所定の焦点距離位置に確実に配置することが望ましい。
【０００３】
しかし、レンズ群全体を移動すると、ズーミングに連動して変倍するズームファインダーを備えた場合、焦点調整する毎にズームファインダーが変倍してしまい、ファインダーによる被写体の観察がわずらわしくなる。
【０００４】
【発明の目的】
本発明は、従来のズームレンズの問題意識に基づいてなされたもので、レンズ群全体の移動によってズーミングおよびズームファインダーの変倍を行い、焦点調整の際にはレンズ群全体及びフォーカシングレンズ群を移動するズームレンズカメラにおいて、焦点調整の際にズームファインダが変倍しないズームレンズカメラを提供すること、を目的とする。
【０００５】
【発明の概要】
この目的を達成する本発明は、少なくとも移動可能な前群レンズおよび後群レンズを備えたズームレンズ；後群レンズを前群レンズに対して接離移動させ後群移動手段；前群レンズ、後群レンズおよび後群移動手段を一体に前後移動可能に保持した鏡筒；前記鏡筒を駆動して前記前群レンズ、後群レンズおよび後群移動手段を一体に前後移動させてズーミングする全体移動手段；ズームファインダ；全体移動手段に連動してズームファインダを変倍させるファインダ連動手段；および、前記全体移動手段を駆動してズーミング制御し、前記全体移動手段および後群移動手段を駆動して焦点調節する制御手段；を備え、前記全体移動手段が前記鏡筒を駆動してズーミングするときのズーム系バックラッシュは、前記全体移動手段が前記ファインダ連動手段を介して前記ズームファインダを変倍させるときのファインダ系バックラッシュよりも小さく設定され、前記制御手段は、前記焦点調整するときは、前記後群移動手段を駆動するとともに、前記全体移動手段を、停止直前の駆動方向とは逆方向に、前記ズーム系バックラッシュより多く、かつ前記ファインダ系バックラッシュ以下だけ駆動して、前記ズームファインダが変倍動作しない範囲で前記前群レンズ、後群レンズおよび後群移動手段を一体に前後移動させること、に特徴を有する。
【０００６】
【発明の実施の形態】
以下図示実施形態に基づいて本発明を説明する。この実施形態は、図１３に示すレンズシャッタ式ズームレンズカメラに本発明を適用したものであり、最初に、この図１３について、このズームレンズカメラの概念を説明する。レンズ構成は、前群レンズＬ１と後群レンズＬ２の２群である。
【０００７】
カメラ本体には、全体移動モータ駆動手段６０、後群移動モータ駆動手段６１、ズーム操作手段６２、シャッタレリーズ手段６３、測距装置６４、測光装置６５、ＡＥモータ駆動手段６６及びこれらを統括的に制御する制御手段（ＣＰＵ）２１０が設けられている。
【０００８】
制御手段２１０は、カメラボディに設けたズームレバー等のズーム操作手段６２（ワイドズームボタン６２ＷＢ、テレズームボタン６２ＴＢ、）が操作されたとき、全体移動モータ駆動手段６０に対し、前群レンズＬ１と後群レンズＬ２からなるズームレンズをワイド側からテレ側に移動させるための移動指令、またはテレ側からワイド側に移動させるための移動指令を与える。この移動指令を受けた全体移動モータ駆動手段６０は、全体移動モータ２５を駆動してズームレンズをワイド側からテレ側に、またはテレ側からワイド側に移動させる。撮影者によるズーム操作手段６２の操作によって焦点距離が変更され、任意の焦点距離に設定される。なお、図示しないが、ファインダ視野の像倍率は、ズーム操作手段６２による焦点距離変化に連動して変化する。よって撮影者は、ズーム操作手段６２の操作による焦点距離変化を、ファインダ視野の像倍率変化を観察することで知ることができる。また、ズーム操作手段６２の操作によって設定される焦点距離は、例えば、ＬＣＤ表示パネルに表示される数値により認識することができる。
【０００９】
制御手段２１０はまた、シャッタレリーズ手段６３が操作されたとき、全体移動モータ制御手段６０を介して駆動される全体移動モータ２５を駆動するととともに、後群移動モータ制御手段６１を介して駆動される後群移動モータ３０を駆動して、被写体にズームレンズを合焦させる。シャッタレリーズ手段６３は、レリーズボタンに連動する測光スイッチ及びレリーズスイッチから構成されるもので、その一段押しで測光スイッチがオンして制御手段３１０は測距装置６４への測距指令と測光装置６５への測光指令を与え、二段押しでレリーズスイッチがオンして制御手段２１０が、ＡＥモータ駆動手段６６を介して、ＡＦ／ＡＥシャッタユニット２１のＡＥモータ２９を駆動してシャッタ２７を動作させる。制御手段２１０は、測光装置６５からの測光出力を受けて、ＡＥモータ２９を駆動してシャッタ２７のシャッタ羽根２７ａを所定時間開放する。
【００１０】
制御手段２１０は、ズーム操作手段６２が操作されると、全体移動モータ２５を駆動して前群レンズＬ１と後群レンズＬ２を一体に移動させる。この移動と同時に後群移動モータ制御手段６１を介して後群移動モータ３０を動作させてもよいが、本ズームレンズカメラにおいて重要な点は、ズーム操作手段６２の操作を受けての前群レンズＬ１と後群レンズＬ２の移動は、焦点の位置を移動させることなく焦点距離を連続的に変化させる従来のズーミングの概念では行なわないということである。つまり、ズーム操作手段６２が操作されたとき、
▲１▼全体移動モータ２５のみを動作させて、前群レンズＬ１と後群レンズＬ２を両者の空気間隔を変化させることなく前後に移動させる態様、及び、
▲２▼全体移動モータ２５と後群移動モータ３０の双方を動作させて、前群レンズＬ１と後群レンズＬ２を両者の空気間隔を変化させながら（焦点位置は考慮しないで）移動させる態様、
とが可能である。
【００１１】
▲１▼の態様では、特定距離の被写体に常時ピントが合うことはあり得ないが、撮影光学系による像を観察する訳ではない本カメラのようなレンズシャッタ式カメラでは、シャッタレリーズ時にピントが合えばよいから全く問題がない。また、▲２▼の態様では、焦点位置の移動を許容しつつ、前群レンズＬ１と後群レンズＬ２を移動させる。ピント合わせは、シャッタレリーズ時に全体移動モータ２５と後群移動モータ３０の双方を動作させて行う。
【００１２】
ズーム操作手段６２の操作に応じて上記▲１▼または▲２▼の何れかの制御態様を実行した後、ズーム操作手段６２によって設定される焦点距離の少なくとも一部の焦点距離域においてシャッタレリーズ手段６３が操作されたとき、全体移動モータ２５と後群移動モータ３０の双方を動作させて被写体に合焦させる。このときの全体移動モータ２５と後群移動モータ３０による前群レンズＬ１と後群レンズＬ２の移動量は、測距装置６４による被写体距離情報によって得られる移動量だけでなく、ズーム操作手段６２によって設定される焦点距離情報によって得られる移動量を加味して決定される。このように、シャッタレリーズ手段６３が操作されたとき、全体移動モータ２５と後群移動モータ３０の双方を動作させて合焦動作を行わせると、レンズ位置の制御に自由度が生れ、その制御が容易になる。
【００１３】
なお、理論的には、ズーム操作手段６２の操作時には、全体移動モータ２５と後群移動モータ３０のいずれも動作させずに単にファインダの視野倍率と焦点距離情報だけを変化させ、シャッタレリーズ手段６３が操作されたときに、その焦点距離情報と測距装置６４による被写体距離情報とにより全体移動モータ２５と後群移動モータ３０を同時に動作させて、その焦点距離情報と被写体距離情報によって一義的に決定される位置に前群レンズＬ１と後群レンズＬ２を移動させることもできる。
【００１４】
次に、主に図１１と図１２を用いて、上記概念のズームレンズ鏡筒を具体的にした実施形態を説明する。
本ズームレンズ鏡筒１０の概略構成と動作を最初に説明すると、前方から順に、第１移動鏡筒２０、第２移動鏡筒１９、第３移動鏡筒１６、及び固定鏡筒ブロック１２が備えられている。第３移動鏡筒１６は、固定鏡筒ブロック１２の筒状部に螺合され、回動とともに光軸方向に進退する。第３移動鏡筒１６は、光軸方向に一体に移動する、回転を規制された直進案内筒１７を内方に有し、第２移動鏡筒１９はこの直進案内筒１７に対して相対回転しながら光軸方向に進退する。第１移動鏡筒２０は、回転を規制されていて、第２移動鏡筒１９に対する相対回転により光軸方向に進退する。全体移動モータ２５は、固定鏡筒ブロック１２に固定され、ＡＥモータ２９と後群移動モータ３０を搭載したシャッタ取付台４０は、第１移動鏡筒２０に固定されている。前群レンズＬ１は、レンズ支持筒３４に支持された正のパワーを有するレンズであり、後群レンズＬ２は、レンズ支持筒５０に支持された負のパワーを有するレンズである。
【００１５】
カメラボディのアパーチャ板１４の前方に固定される固定鏡筒ブロック１２は、その筒状部の内周面に、雌ヘリコイド１２ａと、光軸Ｏと平行な複数の直進案内溝１２ｂとを有している。この複数の直進案内溝１２ｂの１つには、その底部に、所定のパターンを有するコード板１３ａが固定されている。このコード板１３ａは、固定鏡筒ブロック１２の外方に位置するフレキシブルプリント基板１３の一部として構成されている。アパーチャ板１４は、フィルムへの露光領域を決定するアパーチャ１４ａを有する。
【００１６】
固定鏡筒ブロック１２の筒状部には、径方向外方に膨出しかつ光軸方向に延びるギヤ収納部１２ｃが形成されている（図７参照）。このギヤ収納部１２ｃには、光軸方向に長い駆動ピニオン１５が回転自在に収納されている。この駆動ピニオン１５はその軸７の両端部を、固定鏡筒ブロック１２に設けた支持孔４とギヤ支持板３１に設けた支持孔３１ａにそれぞれ回転自在に支持されている。この駆動ピニオン１５の歯面は、固定鏡筒ブロック１２の内周面に突出している。
【００１７】
固定鏡筒ブロック１２の内周には、第３移動鏡筒１６が螺合されている。この第３移動鏡筒１６は、内周面に、光軸方向に延びる複数の直進案内溝１６ｃを有し、後端部外周に、固定鏡筒ブロック１２の雌ヘリコイド１２ａと噛み合う雄ヘリコイド１６ａと、駆動ピニオン１５と噛み合う外周ギヤ１６ｂ（図６参照）とを有している。駆動ピニオン１５は、第３移動鏡筒１６の光軸方向の全移動域において、この外周ギヤ１６と噛み合う軸方向長さを有する。
【００１８】
第３移動鏡筒１６の内周には、直進案内筒１７が、この第３移動鏡筒１６と光軸方向に一体に移動可能かつ光軸回りに相対回転可能に支持されている。直進案内筒１７は、後部外周に、径方向外方に突出する複数の係合突起１７ｃを備えた後端フランジ部１７ｄと、この後端フランジ部１７ｄの前方にやや隙間を開けて設けた、該フランジ部１７ｄより小径の抜止フランジ部１７ｅとを有している。この抜止フランジ部１７ｅの周方向に、複数の切欠部１７ｆが形成されている。第３移動鏡筒１６は、後端部内周に、径方向内方に突出する複数の係合突起１６ｄ（図１１）を有し、この係合突起１６ｄを上記切欠部１７ｆから挿入して両フランジ部１７ｄ、１７ｅ間の隙間に位置させ、直進案内筒１７に対し相対回転することにより該直進案内筒１７と結合している。直進案内筒１７の後端面には、アパーチャ１４ａと略同形の開口２３ａを有するアパーチャ板２３が固定されている。
【００１９】
直進案内筒１７にはまた、その内周面に、光軸Ｏと平行な複数の直進案内溝１７ａと、この案内筒１７の周壁を貫通しかつ円周方向及び光軸方向に対して傾斜する複数のリード溝１７ｂとが形成されている。
【００２０】
直進案内筒１７の内周には、第２移動鏡筒１９が嵌合されている。この第２移動鏡筒１９は、内周面に、リード溝１７ｂとは逆傾斜の複数のリード溝１９ｃを有し、後端部外周に、径方向外方に突出する複数の断面台形状のフォロア突起１９ａと、このフォロア突起１９ａ上に位置するフォロアピン１８とを有する。このフォロアピン１８は、リング部材１８ｂと、このリング部材１８ｂをフォロア突起１９ａ上に支持する中心固定ねじ１８ａとからなっている。フォロア突起１９ａは、直進案内筒１７のリード溝１７ｂに摺動可能に嵌まり、フォロアピン１８は、第３移動鏡筒１６の直進案内溝１６ｃに摺動可能に嵌まる。よって、第３移動鏡筒１６が回転すると、第２移動鏡筒１９が回転しながら光軸方向に直進移動する。
【００２１】
第２移動鏡筒１９の内周には、第１移動鏡筒２０が嵌合されている。この第１移動鏡筒２０は、後端部外周に備えた複数のフォロアピン２４を、対応する内周リード溝１９ｃに係合させ、かつ直進案内部材２２により直進案内されている。この直進案内部材２２は、図１と図２に示すように、環状部２２ａと、この環状部２２ａから光軸方向に延びる一対の案内脚部２２ｂと、環状部２２ａの径方向外方に突出させた、直進案内溝１７ａに摺動自在に係合する複数の係合突起２８とを有し、第１移動鏡筒２０の内周面とＡＦ／ＡＥシャッタユニット２１の間に案内脚部２２ｂを直進案内可能に挿入している。
【００２２】
また直進案内部材２２の環状部２２ａは、第２移動鏡筒１９の後端部に、光軸方向に一体に移動可能かつ光軸回りに相対回転可能に結合されている。この直進案内部材２２は、後部外周に、径方向外方に突出する複数の係合突起２８を備えた後端フランジ部２２ｄと、この後端フランジ部２２ｄの前方にやや隙間を開けて設けた、該フランジ部２２ｄより小径の抜止フランジ部２２ｃを有し、この抜止フランジ部２２ｃの周方向に、複数の切欠部２２ｅを有している（図１参照）。第２移動鏡筒１９は、後端部内周に、径方向内方に突出する複数の係合突起１９ｂ（図１１）を有し、この係合突起１９ｂを上記切欠部２２ｅから挿入して両フランジ部２２ｃ、２２ｄ間の隙間に位置させ、直進案内部材２２に対し相対回転することにより該直進案内部材２２と結合している。上記構成により、第１移動鏡筒２０は、第２移動鏡筒１９が正逆に回転するとき、回転を規制されたまま、該第２移動鏡筒１９に対して光軸方向前後に直進移動する。
【００２３】
この第１移動鏡筒２０の前端部には、バリヤ羽根４８ａ、４８ｂを備えたバリア装置３５が装着され、内周面には、３枚のシャッタ羽根２７ａ（図５）からなるシャッタ２７を備えたＡＦ／ＡＥシャッタユニット２１が嵌合固定されている。このＡＦ／ＡＥシャッタユニット２１は、シャッタ取付台４０の外周部に等角度間隔で形成した複数の固定孔４０ａ（図３）を有している。上記複数のフォロアピン２４は、このＡＦ／ＡＥシャッタユニット２１の固定手段を兼ねており、第１移動鏡筒２０に形成したピン孔２０ａと、この固定孔４０ａに、このフォロアピン２４が嵌入固定されて、このシャッタユニット２１が第１移動鏡筒２０に固定されている（図４参照）。フォロアピン２４は例えば接着、ねじ止め等の手段で固定できる。なお、４１は、第１移動鏡筒２０の前端部に固定される飾り板である。
【００２４】
ＡＦ／ＡＥシャッタユニット２１は、図５と図１２に示されるように、シャッタ取付台４０と、このシャッタ取付台４０の後部に固定されるシャッタ羽根支持環４６と、このシャッタ取付台４０に対して相対移動自在に支持されるレンズ支持筒５０（後群レンズＬ２）とを有している。このシャッタ取付台４０には、前群レンズＬ１とＡＥモータ２９と後群移動モータ３０が支持されている。このシャッタ取付台４０は、レンズ支持筒３４を挿通させる撮影開口４０ｄを備えた環状部と、この環状部から後方に向けて延出された３つの脚部４０ｂとを有している。この３つの脚部４０ｂ間の隙間のうち２箇所は、直進案内部材２２の一対の案内脚部２２ｂをそれぞれ摺動自在に係合させて移動ガイドする直進案内部４０ｃとして構成されている。
【００２５】
シャッタ取付台４０にはさらに、ＡＥモータ２９の回転をシャッタ２７に伝えるＡＥギヤ列４５と、後群移動モータ３０の回転をスクリューシャフト４３に伝えるレンズ駆動ギヤ列４２と、フレキシブルプリント基板６に接続されたフォトインタラプタ５６、５７と、放射方向に延びるスリットを円周方向に多数備えた回転板５８、５９とが支持されている。上記フォトインタラプタ５７と回転板５９によって、後群移動モータ３０の回転を検知する後群移動モータ用エンコーダが構成され、フォトインタラプタ５６と回転板５８によって、ＡＥモータ２９の回転を検知するＡＥモータ用エンコーダが構成されている。
【００２６】
シャッタ取付台４０とこの取付台４０に固定したシャッタ羽根支持環４６の間に、上記シャッタ２７と、このシャッタ２７の３枚のシャッタ羽根２７ａを枢支する支持部材４７と、シャッタ羽根２７ａに回動力を付与する環状駆動部材４９とが位置している。環状駆動部材４９は、３枚のシャッタ羽根２７ａにそれぞれ係合する３つの操作突起４９ａを等角度間隔で備えている。シャッタ羽根支持環４６は、前壁部に、撮影開口４６ａと、この撮影開口４６ａの周囲に等角度間隔で設けた３つの支持孔４６ｂを有し、外周部に、直進案内部４０ｃから露出して上記一対の案内脚部２２ｂの内周面を摺動自在に支持する撓み規制面４６ｃを有している（図９、図１０参照）。
【００２７】
また、シャッタ羽根支持環４６の前方に位置する支持部材４７は、撮影開口４６ａに対向する撮影開口４７ａと、３つの支持孔４６ｂとそれぞれ対向する３つの軸部４７ｂ（図５に一箇所のみ示す）とを有している。３枚のシャッタ羽根２７ａはそれぞれ、一端部に、軸部４７ｂを挿通させる軸孔２７ｂを有し、他端部に、撮影開口４６ａ、４７ａを遮蔽する遮蔽部を有し、該一端部と他端部の間に、上記操作突起４９ａを挿通させる長孔２７ｃを有している。上記支持部材４７は、シャッタ羽根２７ａをそれぞれ支持した各軸部４７ｂを、シャッタ羽根支持環４６の対応する支持孔４６ｂに嵌合させた状態で、このシャッタ羽根支持環４６に固定されている。
【００２８】
環状駆動部材４９は、外周部に、ギヤ列４５からの回転を受けるギヤ部４９ｂを有する。また支持部材４７は、３つの軸部４７ｂと近接する位置に、円周方向に沿う３つの円弧溝４７ｃを有している。環状駆動部材４９の上記３つの操作突起４９ａは、該３つの円弧溝４７ｃを貫通して、各シャッタ羽根２７ａの長孔２７ｃに係合している。シャッタ羽根支持環４６は、これら環状駆動部材４９、支持部材４７及びシャッタ２７を支持した状態でシャッタ取付台４０の後方側から挿入され、このシャッタ取付台４０にねじ止めされている。
【００２９】
シャッタ羽根支持環４６の後方には、シャッタ取付台４０にスライドシャフト５１、５２を介して相対移動自在に支持されたレンズ支持筒５０が配置されている。シャッタ取付台４０とレンズ支持筒５０は、スライドシャフト５１に嵌合されたコイルばね３によって互いに離れる方向に移動付勢されており、これにより両者間のガタが除去されている。また、上記ギヤ列４２に備えられた駆動ギヤ４２ａは、軸方向の移動が規制されており、その内周に雌ねじが形成されている。この雌ねじに、レンズ支持筒５０に一端部を固定されたスクリューシャフト４３が螺合しており、これら駆動ギヤ４２ａとスクリューシャフト４３とにより送りねじ機構が構成されている。よって、後群移動モータ３０が回転駆動して駆動ギヤ４２ａが正逆いずれかに回転すると、スクリューシャフト４３がこの駆動ギヤ４２ａに対して進退し、レンズ支持筒５０と共に後群レンズＬ２が前群レンズＬ１に対して相対移動する。つまり、レンズ支持筒５０は支持鏡筒に相当する。
【００３０】
シャッタ取付台４０の前部には、このシャッタ取付台４０に支持した上記モータ２９、３０等を押える押え部材５３、５５がねじ止めされている。シャッタ取付台４０に一端部を固定された上記フレキシブルプリント基板６には、モータ２９、３０、及びフォトインタラプタ５６、５７が接続されている。第１〜第３移動鏡筒２０、１９、１６及びＡＦ／ＡＥシャッタユニット２１等を組立てた状態において、直進案内筒１７の後端面にアパーチャ板２３が固定され、また固定鏡筒ブロック１２の前端部に、環状の抜止め部材３３が嵌着されている。
【００３１】
以上の実施例では、前群レンズＬ１と、レンズ支持筒５０に支持した後群レンズＬ２を、ＡＦ／ＡＥシャッタユニット２１の構成部材の１つとし、後群駆動モータ３０を該ＡＦ／ＡＥシャッタユニット２１に搭載している。この構成によると、後群レンズＬ２の支持構造及び駆動構造を単純化できるという利点があるが、後群レンズＬ２を、シャッタ取付台４０、環状駆動部材４９、支持部材４７、シャッタ２７及びシャッタ羽根支持環４６等を備えたＡＦ／ＡＥシャッタユニット２１とは別部材とし、該ユニットとは別の支持部材に支持しても、本ズームレンズは成立する。
【００３２】
本ズームレンズカメラは、全体移動モータ２５、後群移動モータ３０の回転によって、つぎのように作動する。ズームレンズ鏡筒１０が最も繰り込まれた図９のレンズ収納状態において、電源スイッチをオンすると、全体移動モータ２５が正方向に回転する。すると、この回転が、支持部３２に支持されたギヤ列２６を介して駆動ピニオン１５に伝えられ、第３移動鏡筒１６が繰り出し方向に回転されるため、第２移動鏡筒１９と第１移動鏡筒２０が該第３移動鏡筒１６とともに光軸方向に若干量繰り出され、カメラはズームレンズをワイド端に位置させた撮影可能状態となる。この際、直進案内筒１７の固定鏡筒ブロック１２に対する位置がコード板１３ａと接触端子９の相対摺動によって検出されることに基づき、前、後群レンズＬ１、Ｌ２からなるズームレンズの焦点距離が検出されている。
【００３３】
この撮影可能状態において、ズームテレスイッチがオンすると、全体移動モータ２５を正方向に回転駆動し、駆動ピニオン１５、外周ギヤ１６ｂを介して第３移動鏡筒１６を繰り出し方向に回転させる。したがって、この第３移動鏡筒１６が雌ヘリコイド１２ａと雄ヘリコイド１６ａの関係により固定鏡筒ブロック１２から繰り出され、同時に、直進案内筒１７が、係合突起１７ｃと直進案内溝１２ｂの関係によって固定鏡筒ブロック１２に対し相対回転しない状態で、該第３移動鏡筒１６とともに光軸前方に進出する。このとき第２移動鏡筒１９は、フォロアピン１８をリード溝１７ｂと直進案内溝１６ｃに同時に係合させていることにより、第３移動鏡筒１６と同方向に相対回転しながら該移動鏡筒１６に対して光軸前方に相対移動する。また第１移動鏡筒２０は、直進案内部材２２によって直進案内されかつフォロアピン２４をリード溝１９ｃによって移動ガイドされるため、固定鏡筒ブロック１２に対して相対回転しない状態で、第２移動鏡筒１９からＡＦ／ＡＥシャッタユニット２１とともに光軸前方に進出する。この際、直進案内筒１７の固定鏡筒ブロック１２に対する位置がコード板１３ａと接触端子９の相対摺動によって検出されることに基づき、前、後群レンズＬ１、Ｌ２からなるズームレンズの焦点距離が検出されている。
【００３４】
ズームレンズ鏡筒１０がこのように駆動する間、後群移動モータ３０は駆動しないため、前群レンズＬ１と後群レンズＬ２は互いの距離を一定に保ったまま一体的に光軸方向に移動する（図８参照）。ズームコード板１３ａを介して入力した焦点距離は、ＬＣＤ表示パネルによって表示される。
【００３５】
ズーム操作手段６２によって設定される任意の焦点距離において、レリーズボタンが一段押しされると、測距装置６４に測距指令が及び測光装置６５に測光指令が与えられ、全体移動モータ２５と後群移動モータ３０の双方が、設定されていた焦点距離情報及び測距装置６４による被写体距離情報によって得られる移動量だけ前群レンズＬ１と後群レンズＬ２を移動させて設定焦点距離にするとともに被写体に合焦させる。この状態でレリーズボタンが二段押しされると、ＡＥモータ制御回路６６を介してＡＥモータ２９が、測光装置６５からの被写体輝度情報に応じて環状駆動部材４９を回転駆動し、所定の露出を満たすようにシャッタ２７を駆動する。このシャッタレリーズの終了後、全体移動モータ２５と後群移動モータ３０の双方が直ちに駆動されて、前群レンズＬ１と後群レンズＬ２がシャッタレリーズ前の状態に戻される。
【００３６】
ズームワイドスイッチがオンされると、全体移動モータ２５が逆方向に回転駆動し、第３移動鏡筒１６が繰り込み方向に回転されて、直進案内筒１７とともに固定鏡筒ブロック１２に繰り込まれる。同時に第２移動鏡筒１９が、第３移動鏡筒１６と同方向に回転しながら該移動鏡筒１６に対して繰り込まれ、第１移動鏡筒２０が、回転する第２移動鏡筒１９に対してＡＦ／ＡＥシャッタユニット２１とともに繰り込まれる。この繰込駆動時においても、後群移動モータ３０は、上述の繰出駆動時と同様、駆動しない。
【００３７】
そしてズームレンズ鏡筒１０は、ズームレンズがワイド端位置に移動した後、電源スイッチ２１２がオン操作されて電源が切られると、これに基づき回転駆動する全体移動モータ２５によって、図１１に示すレンズ収納位置に繰り込まれる。その前に、全体移動モータ２５が起動して、後群レンズＬ２がホーム位置まで移動される。
【００３８】
図１４には、本実施の形態における、全体移動モータ２５から、前群、後群レンズＬ１、Ｌ２およびズームファインダ光学系（変倍レンズＬ５）までの伝達機構の概要およびバックラッシュを模式的に示してある。前群レンズＬ１および後群レンズＬ３は光軸Ｏに沿って平行移動してズーミングし、変倍レンズＬ５は光軸Ｏ１に沿って平行移動して変倍（像倍率を変更）する。
【００３９】
このカメラの撮影光学系のズーミングにおけるズーム系バックラッシュは、全体移動モータ２５のピニオン２５ａから、減速ギヤ列２６、駆動ピニオン１５までのギヤ機構３４１によるギヤ列バックラッシュＢＬ１と、駆動ピニオン１５から、外周ギヤ１６ｂ（第３移動鏡筒１６）、固定鏡筒ブロック１２、直進案内筒１７までのズームコード検知機構３４２の検知バックラッシュＢＬ２、直進案内筒１７から第２移動鏡筒１９、第１移動鏡筒２０までの鏡筒繰り出し機構３４３による鏡筒バックラッシュＢＬ３がある。検知バックラッシュＢＬ２は、前群レンズＬ１の位置を検知するためのブラシ部９ａ、コード板１３ａまでに関与するバックラッシュでもある。
【００４０】
一方、ズームファインダ光学系の変倍動作におけるファインダ系バックラッシュは、ギヤ機構３４１によるギヤ列バックラッシュＢＬ１と、駆動ピニオン１５から外周ギヤ１６ｂ（第３移動鏡筒１６）、ファインダ駆動ギヤ３３４を含むファインダ駆動機構３４４によるファインダバックラッシュＢＬ４がある。なお、ギヤ列バックラッシュＢＬ１はズーム系バックラッシュにおけるギヤ列バックラッシュＢＬ１と共通であるから、ファインダ系バックラッシュ固有のバックラッシュは、ファインダバックラッシュＢＬ４のみとなる。
【００４１】
バックラッシュＢＬ１、ＢＬ２、ＢＬ３、ＢＬ４にはそれぞれ、全体移動モータ２５が回転方向を変えたときに生じる通常のギヤ機構、カム機構のバックラッシュが含まれ、検知バックラッシュＢＬ２およびファインダバックラッシュＢＬ４には固有のバックラッシュも含まれる。それぞれのバックラッシュＢＬ１、ＢＬ２、ＢＬ３、ＢＬ４の大きさは、図において、ぞれぞれの凹部の幅で模式的に示してある。
【００４２】
図１６、図１７には、ズームコードを形成するコード板１３ａとブラシ部９ａ及びこれらの接触状態の拡大図を示してある。このコード板１３ａは、絶縁基板１３ｂ上に形成された、４枚の独立した電極パターンＺＣ０、ＺＣ１、ＺＣ２、ＺＣ３を備えている。電極パターンＺＣ０、ＺＣ１、ＺＣ２、ＺＣ３は厚みを有するので絶縁基板１３ｂからその厚み分盛り上がっている。したがってブラシ部９ａは、湾曲した頂点部９ｄが絶縁基板１３ｂおよび電極パターン上を摺接するが、電極パターンの切り換え位置（ズームコードのオン／オフ切り換え位置）では、頂点部９ｄから離れた部分９ｅまたは部分９ｆで電極パターンに接触し、また離反する。したがってブラシ部９ａが、電極パターンＺＣ０、ＺＣ１、ＺＣ２、ＺＣ３に接触し、離反するときは、距離ｄ0 分の誤差を生じる。したがって、本実施の形態では、前群レンズＬ１（及び後群レンズＬ２）の基準位置を、ブラシ部９ａが電極パターンＺＣ０、ＺＣ１、ＺＣ２、ＺＣ３のフィルム面側エッジでON/OFFする位置（モード切り換え位置）にとるが、その際に、距離ｄ0 分を考慮する。
【００４３】
図１５には、ブラシ部９ａの頂点部９ｄを基準としたレンズ位置を示してある。この図と図１４を参照して、本実施の形態のズーミング時の動作および焦点調整時の動作について説明する。
【００４４】
本実施の形態では、電源がオンした撮影待機状態では、ズームコードの切り換え位置よりも収納側の待機位置に停止してある。例えば、ワイド側からテレ側にズーミングして停止するときは、全体移動モータ２５が正転し、ブラシ部９ａがズームコードに接触したズームコードOFF ／ON検知位置からさらに、ズームコードがＯＦＦする位置まで（所定ズームパルス数ZP1 分）全体移動モータ２５が正転して停止する。このレンズ位置が折返し位置である。この折返し位置から全体移動モータ２５が逆転する。そして、ブラシ部９ａがズームコードに接触してから離反するズームコードON／OFF 検知位置からさらに全体移動モータ２５を所定ズームパルス数ZP2 分逆転してから停止する。このレンズ位置がレンズ待機位置である。
【００４５】
このテレズームでは、全体移動モータ２５の十分な正転によって、各機構３４１、３４２、３４３、３４５は、バックラッシュＢＬ１〜ＢＬ４が除かれた状態で動作し、前群、後群レンズＬ１、Ｌ２を折返し位置に、変倍レンズＬ５を折返し位置に対応する位置に移動している（図１４（Ａ）参照）。この位置では、全体移動モータ２５が正転する際のテレ方向のバックラッシュＢＬ１〜ＢＬ４は無くなっている。
【００４６】
この折返し位置から全体移動モータ２５が逆転すると、ギヤ機構３４１、検知機構３４２、鏡筒駆動機構３４３は、全体移動モータ２５の逆転初期にバックラッシュＢＬ１、ＢＬ２、ＢＬ３分の駆動が終了するので、前群レンズＬ１および後群レンズＬ２をレンズ待機位置まで移動する。しかし、ファインダ駆動機構３４４は、この全体移動モータ２５の逆転途中にバックラッシュが無くなることがない。つまり、レンズ待機位置では、全体移動モータ２５がファインダバックラッシュＢＬ４分以上回転しなければ変倍レンズＬ５は移動しないので、変倍レンズＬ５は折返し位置に対応する位置から移動していない（図１４（Ｂ）参照）。本実施の形態では、ファインダバックラッシュＢＬ４の量を、前群レンズＬ１および後群レンズＬ２を折返し位置から待機位置まで移動する間に全体移動モータ２５が回転する回転量にほぼ一致させてある。
【００４７】
テレ側からワイド側にズーミングして停止するときは、全体移動モータ２５が逆転し、ブラシ部９ａがズームコードＺＣ０に接触して離反したズームコードON／OFF 検知位置からさらに全体移動モータ２５が所定ズームパルス数（ZP2 ）分逆転して、前群レンズＬ１および後群レンズＬ２をレンズ待機位置に移動して停止する（図１４（Ｂ）参照）。この待機状態は、テレズーミング時の待機状態と同様である。
【００４８】
以上の動作によって、レンズはテレズームしたときもワイドズームしたときも同じレンズ待機位置に、同一のバックラッシュ状態で停止する。
【００４９】
撮影時には、この待機状態から、被写体距離に応じて前群レンズＬ１及び後群レンズＬ２をテレ方向に移動させ（図１４（Ｃ）参照）、撮影終了後、待機位置に戻る。移動量は、ズームコードOFF ／ON検知位置を基準として設定される。但し、前群レンズＬ１および後群レンズＬ２の移動量は、折返し位置を越えない量である。したがって、撮影時に全体移動モータが所定移動量移動しても、ファインダバックラッシュＢＬ４によって、ファインダの変倍レンズＬ５は移動せず、ファインダ視野がふらつくことがない。
【００５０】
図１８から図２２には、ファインダバックラッシュＢＬ４を得るための一実施の形態を示してある。全体移動モータ２５の回転に連動して像倍率が変動するズームファインダ光学系の連動機構を示してある。
【００５１】
全体移動モータ２５の駆動軸の回転は、駆動軸に固定されたピニオン２５ａ、減速ギヤ列２６を介して駆動ピニオン１５に伝達される。この駆動ピニオン１５は、第３移動鏡筒１６の外周ギヤ１６ｂに噛み合うと共に、ダブルギヤ３３１、３３２の小径ギヤ３３１にも噛み合っている。小径ギヤ３３１と連動する大径ギヤ３３２は、ファインダ連動ギヤリング３３３の外周ギヤ３３３ａに噛み合い、さらに外周ギヤ３３３ａには、ファインダ光学系の変倍レンズを駆動する変倍機構の駆動ギヤ３３４が噛み合っている。つまり、全体移動モータ２５の回転は、駆動ピニオン１５から、ダブルギヤ３３１、３３２およびファインダ連動ギヤリング３３３を介してファインダ駆動ギヤ３３４に伝達される。ファインダ連動ギヤリング３３３は、抜止め部材３３に筒状に突設された軸受３３ａに回動自在に嵌合されている。
【００５２】
小径ギヤ３３１の軸３３１ａは、大径ギヤ３３２の軸穴３３２ａに挿入されている。そして軸３３１ａには、軸心を挟んで対称に一対のキー３３１ｂが形成され、軸穴３３２ａには、一対のキー３３１ｂがそれぞれ嵌る一対のキー溝３３２ｂが形成されている。キー溝３３２ｂの周方向幅は、キー３３１ｂの周方向厚よりも広く形成されている。つまり、小径ギヤ３３１が一定方向に回動している間は、キー３３１ｂがキー溝３３２ｂの一方の径方向壁に当接して大径ギヤ３３２が一体に従動回転するが、小径ギヤ３３１が回転方向を変えたときには、キー３３１ｂがキー溝３３２ｂの一方の径方向壁から離反し、所定回転角回転してキー３３１ｂがキー溝３３２ｂの他方の径方向壁に当接するまでは、大径ギヤ３３２は回転しない。つまり、ファインダ光学系は変倍しない。
【００５３】
ここで、この所定回転角（以後「遅延連動角」という）は、撮影時に、全体移動モータ２５が、レンズを待機位置から設定焦点距離あるいは合焦位置まで駆動したときに小径ギヤ３３１が回転する回転角よりも大きく設定されている。詳細後述するが、たとえば、レンズがズームコード間の待機位置に停止している状態から、撮影時に全体移動モータ２５が正転して前群レンズＬ１および後群レンズＬ２を前進させ、現ズームコードがＯＮするのを検知してからさらに所定パルス数分第１ズームパルス数ZP1 分正転して前進させる間、およびその後全体移動モータ２５が逆転して現ズームコードがＯＦＦするのを検知してからさらに第２ズームパルス分ZP2 分逆転して前群レンズＬ１および後群レンズＬ２を待機位置まで戻す間、ファインダ光学系が変倍しないように、遅延連動角を設定してある。
【００５４】
なお、ファインダ光学系の詳細は図示しないが、図１４に示したように、ファインダ駆動ギヤ３３４の回転によってファインダ変倍レンズＬ５が前後動して像倍率が、撮影レンズの焦点距離に応じて変わる構成である。
【００５５】
以上のように本実施の形態では、ズーミング時には全体移動モータ２５を駆動して前群レンズＬ１および後群レンズＬ２を一体に移動し、焦点調整のときには全体移動モータ２５および後群移動モータ３０を駆動して前群レンズＬ１および後群レンズＬ２を合焦位置まで移動するので、焦点調整時には、バックラッシュに関わり無く、前群レンズＬ１および後群レンズＬ２が合焦位置まで確実に移動し、しかも、ズームファインダが変倍することがない。
【００５６】
【発明の効果】
以上の説明から明らかな通り本発明は、少なくとも前群レンズおよび後群レンズを備えたズームレンズおよびズームファインダを備え、ズーミングの際には全体移動手段により前群および後群レンズを一体として移動するとともにズームファインダを変倍させ、焦点調節の際には前群レンズおよび後群レンズを一体に移動させるとともに後群移動手段により後群レンズを前群レンズに対して相対移動させるズームレンズおよびズームファインダを備えたカメラにおいて、前記全体移動手段によって前記前群レンズ、後群レンズおよび後群移動手段を移動させるときのバックラッシュは、前記全体移動手段が前記ファインダ連動手段を介して前記ズームファインダを変倍させるときのファインダバックラッシュよりも小さく設定し、前記制御手段は、前記焦点調整するときは前記全体移動手段を、バックラッシュ量より多く、かつ前記ファインダバックラッシュ量以下の量だけ駆動するので、前記焦点調整時には前記前群レンズ、後群レンズおよび後群移動手段は移動するが前記ズームファインダは変倍しないので、焦点調整時に確実に前群レンズ及び後群レンズを合焦位置まで移動させることが可能になり、しかもその際に、ズームファインダは変倍しないので、正確な焦点調整および快適なファインダ視野を得ることができる。
【図面の簡単な説明】
【図１】本発明を適用した直進ガイド機構の一実施形態の要部を示す斜視図である。
【図２】同直進ガイド機構の要部の図１と異なる状態を示す斜視図である。
【図３】本実施形態におけるズームレンズ鏡筒の要部を示す斜視図である。
【図４】同ズームレンズ鏡筒のＡＦ／ＡＥシャッタユニットを第１移動鏡筒に組付けた状態を示す斜視図である。
【図５】同ズームレンズ鏡筒のＡＦ／ＡＥシャッタユニットの主要な部材を示す分解斜視図である。
【図６】同ズームレンズ鏡筒の第３移動鏡筒を示す斜視外観図である。
【図７】同ズームレンズ鏡筒の固定鏡筒ブロックを示す正面図である。
【図８】同ズームレンズ鏡筒の最大繰出状態を示す上半断面図である。
【図９】同ズームレンズ鏡筒のレンズ収納状態における要部を示す上半断面図である。
【図１０】同ズームレンズ鏡筒の最大繰出状態における要部を示す上半断面図である。
【図１１】同ズームレンズ鏡筒全体のレンズ収納状態を示す上半断面図である。
【図１２】同ズームレンズ鏡筒全体を示す分解斜視図である。
【図１３】同ズームレンズ鏡筒の作動を制御する制御系を示すブロック図である。
【図１４】本願発明のズームファインダーを備えたズームレンズカメラの、全体移動モータから、前群、後群レンズおよびズームファインダ光学系までの伝達機構の概要およびこの伝達機構のバックラッシュを模式的に示した図である。
【図１５】本実施の形態の、ズーミング動作とズームコードとの関係を示した図である。
【図１６】同ズームレンズカメラのズームコードの概要を示す平面図である。
【図１７】同ズームコードとブラシ部との関係示す拡大側面図である。
【図１８】同ズームレンズカメラの、ズームレンズ駆動系とズームファインダ駆動系との連動機構を示すズームレンズ鏡筒の固定部の正面図である。
【図１９】ズームレンズ駆動系とズームファインダ駆動系との間に遅延動作（バックラッシュ）を発生させる遅延連動作用を有するダブルギヤの分解斜視図である。
【図２０】同ダブルギヤの内の従動側の大径ギヤを逆方向から示す斜視図である。
【図２１】同ダブルギヤの軸部の横断面図である。
【図２２】同ダブルギヤの縦断面図である。
【符号の説明】
２５  全体移動モータ
６０  全体移動モータ制御手段
６２  ズーム操作手段
６３  シャッタレリーズ手段
２１０  ＣＰＵ（制御手段）
３３１  小径ギヤ
３３１ａ  軸
３３１ｂ  キー
３３２  大径ギヤ
３３２ａ  軸穴
３３２ｂ  キー溝
３３３  ファインダ連動ギヤリング
３４１  ギヤ機構
３４２  ズームコード検知機構
３４３  鏡筒繰り出し機構
３４４  ファインダ駆動機構（ファインダ連動手段）
Ｌ１  前群レンズ
Ｌ２  後群レンズ
Ｌ５  ファインダ光学系（変倍レンズ）
【図１】
0003869483.tif 000002
【図２】
0003869483.tif 000003
【図３】
0003869483.tif 000004
【図４】
0003869483.tif 000005
【図５】
0003869483.tif 000006
【図６】
0003869483.tif 000007
【図７】
0003869483.tif 000008
【図８】
0003869483.tif 000009
【図９】
0003869483.tif 000010
【図１０】
0003869483.tif 000011
【図１１】
0003869483.tif 000012
【図１２】
0003869483.tif 000013
【図１３】
0003869483.tif 000014
【図１４】
0003869483.tif 000015
【図１５】
0003869483.tif 000016
【図１６】
0003869483.tif 000017
【図１７】
0003869483.tif 000018
【図１８】
0003869483.tif 000019
【図１９】
0003869483.tif 000020
【図２０】
0003869483.tif 000021
【図２１】
0003869483.tif 000022
【図２２】
0003869483.tif 000023